(57)【要約】  エネルギー効率が良く且つ建築における設計に関して有用な、温度又は熱のバリア及び空調システムを作ることを可能にするために、第１の少なくとも部分的に透明なパネル（４）及び第２の好ましくは部分的に透明なパネル（５）、又はカーテンが設けられる。第１のパネルと第２のパネル（５）との間には、熱エネルギーの伝達媒体（６）が配置される。熱エネルギーの伝達媒体（６）は、放射、特に熱放射を吸収するのに適している。熱エネルギーの伝達媒体（６）は、対流によって且つ／又は第１のパネル（４）及び第２のパネル（５）若しくはカーテンに対して外部から動かされて移動可能である。【選択図】  図１
2009503285.tif 000002
【特許請求の範囲】
【請求項１】
温度、熱及び／又は冷気のバリアであって、
少なくとも部分的に透明なパネルと、
少なくとも１つの第１の基本的に平らな流体ガイドと
を備え、
前記パネルと前記平らな流体ガイドとの間に、熱エネルギーの伝達媒体が配置され、
前記熱エネルギーの伝達媒体は、放射、特に熱放射を吸収するのに適しており、
前記熱エネルギーの伝達媒体は、対流によって且つ／又は前記パネル及び前記平らな流体ガイドに対して外部から動かされて移動可能である、温度、熱及び／又は冷気のバリア。
【請求項２】
前記平らな流体ガイドはパネルであることを特徴とする、請求項１に記載の温度、熱及び／又は冷気のバリア。
【請求項３】
前記平らな流体ガイドはカーテンであることを特徴とする、請求項１に記載の温度、熱及び／又は冷気のバリア。
【請求項４】
前記平らな流体ガイドは、少なくとも部分的に基本的に透明に形成されることを特徴とする、請求項１〜３のいずれか一項に記載の温度、熱及び／又は冷気のバリア。
【請求項５】
前記平らな流体ガイドは、少なくとも部分的に基本的に光放射及び／又は熱放射を反射するように構成されることを特徴とする、請求項１〜３のいずれか一項に記載の温度、熱及び／又は冷気のバリア。
【請求項６】
さらなる平らな流体ガイドを特徴とする、請求項１〜５のいずれか一項に記載の温度、熱及び／又は冷気のバリア。
【請求項７】
少なくとも、前記さらなる平らな流体ガイドは、前記パネルから、隔たって且つ／又は少なくとも部分的に離れて移動可能であることを特徴とする、請求項６に記載の温度、熱及び／又は冷気のバリア。
【請求項８】
前記平らな流体ガイドは、外側に反射層が設けられているカーテンとして形成されることを特徴とする、請求項１〜７のいずれか一項に記載の温度、熱及び／又は冷気のバリア。
【請求項９】
少なくとも１つの平らな流体ガイドが、カーテンとして形成され、該カーテンは、建物の壁及び／又は天井に取り付けられるガイドに接して移動可能であることを特徴とする、請求項１〜８のいずれか一項に記載の温度、熱及び／又は冷気のバリア。
【請求項１０】
建物の壁及び／又は建物の天井内に挿入することができ、ファサード要素、特にガラス板用の取付具、特に前記壁及び／又は前記天井に取り付けることができる少なくとも１つの取付具、特にコンクリートで固定することができる締結レールを備えることを特徴とする、請求項１〜９のいずれか一項に記載の温度、熱及び／又は冷気のバリア。
【請求項１１】
前記温度又は熱のバリアは、カーテンとして形成される少なくとも２つの平らな流体ガイドを有し、１つの平らな流体ガイドは基本的に透明であり、さらなる１つの平らな流体ガイドは、基本的に光放射及び／又は赤外放射を反射するように構成されることを特徴とする、請求項１〜１０のいずれか一項に記載の温度、熱及び／又は冷気のバリア。
【請求項１２】
前記パネルは、基本的に１ｍｍ〜２０ｍｍ、好ましくは５ｍｍ〜１３ｍｍ、特に好ましくは８ｍｍ〜９ｍｍの厚さを有するガラスから形成されることを特徴とする、請求項１〜１１のいずれか一項に記載の温度、熱及び／又は冷気のバリア。
【請求項１３】
前記パネルは、安全ガラスから形成されることを特徴とする、請求項１〜１２のいずれか一項に記載の温度、熱及び／又は冷気のバリア。
【請求項１４】
前記パネルは、強化安全ガラスから形成されることを特徴とする、請求項１〜１３のいずれか一項に記載の温度、熱及び／又は冷気のバリア。
【請求項１５】
前記少なくとも１つの平らな流体ガイドは、前記パネルから２ｃｍ〜５０ｃｍ、好ましくは３ｃｍ〜２５ｃｍ、特に好ましくは５ｃｍ〜１５ｃｍだけ離れていることを特徴とする、請求項１〜１４のいずれか一項に記載の温度、熱及び／又は冷気のバリア。
【請求項１６】
前記熱エネルギーの伝達媒体は流体を含むことを特徴とする、請求項１〜１５のいずれか一項に記載の温度、熱及び／又は冷気のバリア。
【請求項１７】
前記熱エネルギーの伝達媒体は気体であることを特徴とする、請求項１〜１６のいずれか一項に記載の温度、熱及び／又は冷気のバリア。
【請求項１８】
前記熱エネルギーの伝達媒体は、空気、ＣＯ２、窒素、及び／又はＩＲ吸収ガスを含むことを特徴とする、請求項１７に記載の温度、熱及び／又は冷気のバリア。
【請求項１９】
前記流体は水を、液体状で、滴状で、又は水蒸気として含むことを特徴とする、請求項１〜１６のいずれか一項に記載の温度、熱及び／又は冷気のバリア。
【請求項２０】
前記熱エネルギーの伝達媒体は、少なくとも１つのＩＲ吸収色素を溶解させて又は粒状で含むことを特徴とする、請求項１〜１６のいずれか一項に記載の温度、熱及び／又は冷気のバリア。
【請求項２１】
前記熱エネルギーの伝達媒体は相変化を有し、該相変化は、所定の第１の温度において起こり、熱を吸収するのに適していることを特徴とする、請求項１〜１６のいずれか一項に記載の温度、熱及び／又は冷気のバリア。
【請求項２２】
前記相変化は、気化熱の吸収を含むことを特徴とする、請求項１〜１６のいずれか一項に記載の温度、熱及び／又は冷気のバリア。
【請求項２３】
前記熱エネルギーの伝達媒体は、液体状でノズルによって噴霧され、気体状態への移行において、特に液体状態におけるよりも低い圧力において、熱を吸収することを特徴とする、請求項２２に記載の温度、熱及び／又は冷気のバリア。
【請求項２４】
前記熱エネルギーの伝達媒体は、Ｆｒｅｏｎ（登録商標）、すなわちフレオン及び／又はＦＣＫＷ無含有冷却剤を含むことを特徴とする、請求項２３に記載の温度、熱及び／又は冷気のバリア。
【請求項２５】
前記熱エネルギーの伝達媒体は、流体ポンプによって、特に過剰圧力及び／又は低圧力の導入によって外部から動かされることを特徴とする、請求項１〜２４のいずれか一項に記載の温度、熱及び／又は冷気のバリア。
【請求項２６】
前記パネルと前記平らな流体ガイドとの間に、隙間を有する少なくとも１つの管、特にスリット付き管が配置され、前記流体が排出されることを特徴とする、請求項１〜２５のいずれか一項に記載の温度、熱及び／又は冷気のバリア。
【請求項２７】
前記管は、基本的に前記温度、熱及び／又は冷気のバリアの上方領域に配置されることを特徴とする、請求項２６に記載の温度、熱及び／又は冷気のバリア。
【請求項２８】
前記管は、基本的に前記温度、熱及び／又は冷気のバリアの全幅にわたって延在することを特徴とする、請求項２７に記載の温度、熱及び／又は冷気のバリア。
【請求項２９】
前記パネルと前記平らな流体ガイドとの間に、隙間を有する少なくとも１つの管、特にスリット付き管が配置され、それによって、前記流体が供給されることを特徴とする、請求項１〜２８のいずれか一項に記載の温度、熱及び／又は冷気のバリア。
【請求項３０】
前記管は、基本的に前記温度、熱及び／又は冷気のバリアの下方領域に配置されることを特徴とする、請求項２９に記載の温度、熱及び／又は冷気のバリア。
【請求項３１】
前記管は、基本的に前記温度、熱及び／又は冷気のバリアの全幅にわたって延在することを特徴とする、請求項３０に記載の温度、熱及び／又は冷気のバリア。
【請求項３２】
前記パネル及び／又は前記平らな流体ガイドは、少なくとも１つの被覆を有することを特徴とする、請求項１〜３１のいずれか一項に記載の温度、熱及び／又は冷気のバリア。
【請求項３３】
前記少なくとも１つの平らな流体ガイドは、ＩＲ反射率が向上している少なくとも１つの層を被覆されていることを特徴とする、請求項１〜３２のいずれか一項に記載の温度、熱及び／又は冷気のバリア。
【請求項３４】
前記少なくとも１つの平らな流体ガイドは、少なくとも１つのＩＲ吸収色素を含むことを特徴とする、請求項１〜３３のいずれか一項に記載の温度、熱及び／又は冷気のバリア。
【請求項３５】
前記少なくとも１つの平らな流体ガイドは、摺ガラスを含む少なくとも１つの領域及び／又は不透明な少なくとも１つの領域を含むことを特徴とする、請求項１〜３４のいずれか一項に記載の温度、熱及び／又は冷気のバリア。
【請求項３６】
前記少なくとも１つの平らな流体ガイドは屈光性であるか、又は屈光性の物質を含むことを特徴とする、請求項１〜３５のいずれか一項に記載の温度、熱及び／又は冷気のバリア。
【請求項３７】
前記パネル及び／又は少なくとも前記第１の平らな流体ガイドは、ガラス又はプラスチックを含むことを特徴とする、請求項１〜３６のいずれか一項に記載の温度、熱及び／又は冷気のバリア。
【請求項３８】
前記パネル若しくは前記平らな流体ガイド、又は該パネル若しくは該平らな流体ガイドの一部は、移動可能か又は取り外し可能に配置されることを特徴とする、請求項１〜１７のいずれか一項に記載の温度、熱及び／又は冷気のバリア。
【請求項３９】
前記平らな流体ガイドは、鎧戸、特に金属製の鎧戸を含むことを特徴とする、請求項１〜３７のいずれか一項に記載の温度、熱及び／又は冷気のバリア。
【請求項４０】
前記温度、熱及び／又は冷気のバリアは、建物の外壁の一部であることを特徴とする、請求項１〜３９のいずれか一項に記載の温度又は熱のバリア。
【請求項４１】
前記温度又は熱のバリアは、建物の外壁の前に配置されることを特徴とする、請求項１〜４０のいずれか一項に記載の温度、熱及び／又は冷気のバリア。
【請求項４２】
建物の透明な屋根の一部であることを特徴とする、請求項１〜４１のいずれか一項に記載の温度、熱及び／又は冷気のバリア。
【請求項４３】
内壁の一部であることを特徴とする、請求項１〜４２のいずれか一項に記載の温度、熱及び／又は冷気のバリア。
【請求項４４】
窓又はドアの一部であることを特徴とする、請求項１〜４３のいずれか一項に記載の温度、熱及び／又は冷気のバリア。
【請求項４５】
内部空間に対して相対的に上昇温度まで加熱される、熱エネルギーの伝達媒体が流れ通ることができ、暖房装置として用いることができることを特徴とする、請求項１〜４４のいずれか一項に記載の温度、熱及び／又は冷気のバリア。
【請求項４６】
平らな流体ガイドとして形成される少なくとも１つのカーテンをさらに含み、該カーテンは、少なくとも１つのローラによって移動可能であることを特徴とする、請求項１〜４５のいずれか一項に記載の温度、熱及び／又は冷気のバリア。
【請求項４７】
前記温度、熱及び／又は冷気のバリアの上方領域及び／又は下方領域に、前記少なくとも１つのローラが配置されることを特徴とする、請求項４６に記載の温度、熱及び／又は冷気のバリア。
【請求項４８】
前記カーテンは、電気によって駆動することができることを特徴とする、請求項４６又は４７に記載の温度、熱及び／又は冷気のバリア。
【請求項４９】
前記パネル及び／又は前記平らな流体ガイドは、少なくとも部分的に太陽電池を有することを特徴とする、請求項１〜４８のいずれか一項に記載の温度、熱及び／又は冷気のバリア。
【請求項５０】
前記太陽電池は、好ましくはアモルファスシリコンから成る、基本的に透明な太陽電池であることを特徴とする、請求項４９に記載の温度、熱及び／又は冷気のバリア。
【請求項５１】
前記太陽電池は、少なくとも部分的に、基本的に透明な導電体を介して接触されることを特徴とする、請求項４９又は５０に記載の温度、熱及び／又は冷気のバリア。
【請求項５２】
前記平らな流体ガイドは移動可能であり、基本的に周縁に配置される磁石によって導かれ、且つ／又は基本的に流体を通さないように保たれることを特徴とする、請求項１〜５１のいずれか一項に記載の温度、熱及び／又は冷気のバリア。
【請求項５３】
前記平らな流体ガイドは、少なくとも１つの磁気留め具を用いて取り付けることができることを特徴とする、請求項１〜５２のいずれか一項に記載の温度、熱及び／又は冷気のバリア。
【請求項５４】
前記平らな流体ガイドは、少なくとも１つの締結縁に取り付けることができることを特徴とする、請求項１〜５３のいずれか一項に記載の温度、熱及び／又は冷気のバリア。
【請求項５５】
前記熱エネルギーの伝達媒体は、特に建物の前記壁又は前記屋根内の、さらなる温度、熱及び／若しくは冷気のバリア又はソーラーパネルによって導くことができることを特徴とする、請求項１〜５４のいずれか一項に記載の温度、熱及び／又は冷気のバリア。
【請求項５６】
少なくとも部分的に透明なパネルと、少なくとも１つの第１の基本的に平らな流体ガイドとを備え、
前記パネルと前記平らな流体ガイドとの間に、熱エネルギーの伝達媒体が配置され、
前記熱エネルギーの伝達媒体は、対流によって且つ／又は前記パネル及び前記平らな流体ガイドに対して外部から動かされて移動可能であることを特徴とする、特に請求項１〜５５のいずれか一項に記載の温度、熱及び／又は冷気のバリア。
【請求項５７】
少なくとも部分的に透明なパネルを備え、該パネルの内側及び／又は外側に沿って熱エネルギーの伝達媒体を導くことができ、
前記熱エネルギーの伝達媒体は、対流によって且つ／又は前記パネルに対して外部から動かされて移動可能であることを特徴とする、特に請求項１〜５６のいずれか一項に記載の温度、熱及び／又は冷気のバリア。
【請求項５８】
下方領域において及び／又は前記パネルの下方において並びに上方領域において及び／又は前記パネルの上方において、前記熱エネルギーの伝達媒体を排出及び／又は供給する手段が配置されることを特徴とする、請求項１〜５７のいずれか一項に記載の温度、熱及び／又は冷気のバリア。
【請求項５９】
前記熱エネルギーの伝達媒体を排出及び／又は供給する手段は、少なくとも１つの隙間を有する管を含むことを特徴とする、請求項１〜５８のいずれか一項に記載の温度、熱及び／又は冷気のバリア。
【請求項６０】
供給管を用いて、前記熱エネルギーの伝達媒体は、下から上へも、上から下へも、基本的に前記平らな流体ガイドに沿って導くことができることを特徴とする、請求項１〜５９のいずれか一項に記載の温度、熱及び／又は冷気のバリア。
【請求項６１】
前記温度、熱及び／又は冷気のバリアの少なくとも一方の側で前記空気よりも低い温度を有する、熱エネルギーの伝達媒体は、上から下へ導くことができることを特徴とする、請求項１〜６０のいずれか一項に記載の温度、熱及び／又は冷気のバリア。
【請求項６２】
前記温度、熱及び／又は冷気のバリアの少なくとも一方の側で前記空気よりも高い温度を有する伝達媒体は、下から上へ導くことができることを特徴とする、請求項１〜６１のいずれか一項に記載の温度、熱及び／又は冷気のバリア。
【請求項６３】
前記熱エネルギーの伝達媒体は、基本的に前記パネルに沿って層状に導くことができることを特徴とする、請求項１〜６２のいずれか一項に記載の温度、熱及び／又は冷気のバリア。
【請求項６４】
前記熱エネルギーの伝達媒体は、前記パネルの上方及び下方に配置されているスリット付き管を介して供給及び／又は排出することができることを特徴とする、請求項１〜６３のいずれか一項に記載の温度、熱及び／又は冷気のバリア。
【請求項６５】
前記パネルは開くことができることを特徴とする、請求項１〜６４のいずれか一項に記載の温度、熱及び／又は冷気のバリア。
【請求項６６】
前記パネルは窓の一部であることを特徴とする、請求項１〜６５のいずれか一項に記載の温度、熱及び／又は冷気のバリア。
【請求項６７】
エネルギー、特に放射エネルギー又は熱エネルギーを吸収及び／又は放出する装置であって、特に建物に接して又は建物の中に、請求項１〜６６のいずれか一項に記載の温度、熱及び／又は冷気のバリアを備える、装置。
【請求項６８】
請求項１〜６６のいずれか一項に記載の温度、熱及び／又は冷気のバリアを備える、空調システム。
【請求項６９】
請求項１〜５６のいずれか一項に記載の温度、熱及び／又は冷気のバリアを備える空調システムであって、流体循環路システムの一部である、空調システム。
【請求項７０】
建物の床に敷設されている、前記熱伝達媒体の、前記温度、熱及び／若しくは冷気のバリアへの供給管及び／又は該バリアからの排出管を備える、請求項６９に記載の空調システム。
【請求項７１】
熱循環路内の蓄熱器、及び付加的に冷気循環路内の蓄冷器、特にＰＣＴ国際公開ＷＯ９７／１０４７４号の建物のためのエネルギー設備に記載されているような地中の蓄熱器をさらに備えることを特徴とする、請求項６８〜７０のいずれか一項に記載の空調システム。
【請求項７２】
前記流体循環路システムは、建物の床に敷設されている、前記熱伝達媒体の、前記温度、熱及び／若しくは冷気のバリアへの供給管及び／又は該バリアからの排出管を備える、請求項６８〜７１のいずれか一項に記載の空調システム。
【請求項７３】
前記流体循環路システムは、床舗装部に敷設されている、前記熱伝達媒体の、前記温度、熱及び／若しくは冷気のバリアへの供給管及び／又は該バリアからの排出管を備える、請求項６８〜７２のいずれか一項に記載の空調システム。
【請求項７４】
前記温度、熱及び／又は冷気のバリアと、床に配置されている前記供給管及び排出管とは、内部空間に対して相対的に上昇温度まで加熱される、熱エネルギーの伝達媒体が流れ通ることができ、また暖房装置、特に分離して制御可能且つ／又は調節可能な床及び壁の暖房装置として用いることができることを特徴とする、請求項６８〜７３のいずれか一項に記載の空調システム。
【請求項７５】
請求項６８〜７４のいずれか一項に記載の空調システムを備える、建物、特に工業用の建物。
【請求項７６】
請求項１〜６６のいずれか一項に記載の温度、熱及び／又は冷気のバリアが、建物のファサードの前に気候のバリアとして配置される、請求項７５に記載の建物。
【請求項７７】
請求項１〜６６のいずれか一項に記載の温度、熱及び／又は冷気のバリアは、前記建物の正面の窓の一部の前で、また壁の一部の前で、それらの全面にわたって配置される、請求項７５に記載の建物。
【請求項７８】
少なくとも１つの蓄熱器、特に地中の蓄熱器（地熱の蓄熱器）を備えることを特徴とする、請求項７５〜７７のいずれか一項に記載の建物。
【請求項７９】
特に壁及び／又は屋根の領域に配置される、少なくとも１つのさらなる温度、熱及び／又は冷気のバリアを備えることを特徴とする、請求項７５〜７８のいずれか一項に記載の建物。
【請求項８０】
前記温度、熱及び／又は冷気のバリアと、前記少なくとも１つのさらなる温度、熱及び／又は冷気のバリアは、流体導管を介して相互に接続することを特徴とする、請求項７９のいずれか一項に記載の建物。
【請求項８１】
請求項１〜６６のいずれか一項に記載の温度、熱及び／又は冷気のバリアを備える、天窓。
【請求項８２】
請求項１〜６６のいずれか一項に記載の温度、熱及び／又は冷気のバリアを備える、モジュール式に組み立てられる屋根。
【発明の詳細な説明】
【技術分野】
【０００１】
本発明は、特に、建物の空調のための又は建物の空調のための装置内の、温度、熱及び／又は冷気のバリアと、そのバリアが設けられている建物及び建物の一部とに関する。
【背景技術】
【０００２】
現代的な建物、また特に商業又は工業の分野において利用される建物を製造する際に、ガラスファサード又はガラスフロントがますます利用されている。当該ガラスファサード又はガラスフロントは、建築の観点からして魅力的且つ興味をそそるように形成することができ、また居住者又は利用者が空間を快適に感じるようにすることができる。
【０００３】
しかし、この利点は通常は欠点を伴う。この欠点は、たとえば、入り込む放射によって生じる、付属している内部空間の加熱によるものである。またこの利点によって、建物の暖房の際に、透明な面又は建物の正面において熱がより多量に放出することによってエネルギー損失が生じる可能性がある。
【０００４】
２つ以上の相前後して配置されるガラス板を有する組み合わさったガラス板が確かに存在し、当該組み合わさったガラス板は、そのような欠点を低減するはずであるが、この組み合わさったガラス板は、単にエネルギーの流入及び放出を低減するだけであり、吸収されたエネルギーをさらに利用することはできない。
【０００５】
さらに、巻上シャッター、鎧戸又はオーニングのような日よけ装置が存在し、当該日よけ装置は、エネルギーが多量に入ってくるのを回避するはずであるが、それらの装置においても、特に窓、ドア又はファサードの面積が大きい場合は、吸収されたエネルギーがさらに有効に利用されることはない。
【０００６】
流体貫流路を有する建物の壁が、「低エネルギー住宅」と題するドイツ公開特許第２９８  ０４  ９５号と、出願書類が添付されている、「流体貫流路を有するエネルギーのバリアとしての建物の壁」と題するドイツ特許出願第１０  ２００５  ０３４９７０号から既知である。この両特許文献の開示内容は、本明細書において、その全体が本願の対象となる。
【発明の開示】
【発明が解決しようとする課題】
【０００７】
本発明によって、上述した状況が改善され、特に温度、熱及び／又は冷気のバリアと空調システムとが作られ、当該空調システムは、エネルギー効率が良く、且つ建築における設計のために有用であることが可能であることが意図される。
【０００８】
さらに本発明の課題は、温度、熱及び／又は冷気のバリアを提供することであり、当該バリアは、既に存在する建物、特に建物のファサードに簡単に増備することができる。
【課題を解決するための手段】
【０００９】
本発明の課題は、最も目覚ましい方法で請求項１、５６、５７及び６４によって解決される。
【００１０】
本発明は、温度、熱及び／又は冷気のバリア、特に、少なくとも部分的に透明なパネル又はフォイルと、好ましくは少なくとも部分的に透明で基本的に平らな流体ガイドとを有する温度又は熱のバリアを含む。ここで、パネルと流体ガイドとの間に、熱エネルギーの伝達媒体、特に熱伝達媒体が配置される。当該伝達媒体は、放射、特に熱放射を吸収するのに適している。またここで、熱エネルギーの伝達媒体が、対流によって且つ／又はパネル及び流体ガイドに対して外部から動かされて移動可能である。
【００１１】
平らな流体ガイドとは、本発明の意図においては、パネルの後方で間隙を形成し、それによって、流体を間隙を通じて導くことを可能にする装置と理解される。流体ガイドはまた、内側において、典型的にはパネルに対して平行に配置され、その結果、パネルと流体ガイドとの間に間隙が形成される。
【００１２】
温度、熱及び／又は冷気のバリアは、特に、建物の温度調整のため、及びエネルギーを発生させるために設けられる。熱のバリアとして利用される場合、間隙の温度が、少なくとも外の温度よりも高い温度にまで上昇する。冷気を導き入れるとは、本発明の意図においては、熱の放出と理解される。したがって、本発明によれば、建物は空調されることができる、つまり、熱が放出されること、すなわち冷気が導き入れられることが可能である。
【００１３】
平らな流体ガイドは、本発明の好ましい一実施の形態においては、パネル、好ましくは透明なパネルである。
【００１４】
代替的に、平らな流体ガイドとして、特に透明又は半透明な１つ又は複数のカーテンを用いることができる。いずれにせよ、そのようなカーテンは大抵、内部装置の構成要素である。さらに、カーテンは、既に存在する建物に簡単に増備することができる。外側パネルの洗浄も、１つ又は複数のカーテンを単に引くことで可能になる。
【００１５】
本発明の好ましい一実施の形態においては、平らな流体ガイドは、少なくとも部分的に基本的に透明であるように形成される。したがって、温度、熱及び／又は冷気のバリアは、窓として利用することができる。
【００１６】
本発明のさらなる一構成においては、平らな流体ガイドは、少なくとも部分的に基本的に光放射及び／又は熱放射を反射するように形成される。本発明によれば、スペクトルの部分領域、たとえば赤外線領域において反射する流体ガイドも設けられ、透明ではなく且つまた可視光の大部分を外側に反射する流体ガイドも設けられる。
【００１７】
本発明のさらなる一構成においては、少なくとも１つのさらなる平らな流体ガイドが設けられる。
【００１８】
好ましくは、少なくとも１つのさらなる平らな流体ガイドは、パネルから、隔たって且つ／又は少なくとも部分的に離れて移動可能である。したがって、様々な流体ガイドを代替的に用いることができる。夏においては、可視光を主に反射し、したがって空間の加熱を防止する流体ガイドを用いることができる。これに対して、冬においては、基本的に透明な流体ガイドを用いることができ、それによって、多量の光を空間内に導き、エネルギーがより多く空間内に直接流入する。
【００１９】
反射性の平らな流体ガイドとしては、特に外側に反射層が設けられているカーテンが提供される。
【００２０】
カーテンとして形成されると、流体ガイドは、ガイドを用いて建物の壁又は天井に取り付けることができ、その結果、流体ガイドは、移動できるように吊るされることができる。
【００２１】
本発明によれば、ファサード要素、たとえばガラスファサードを取り付けるために、たとえば締結レールのような保持要素を、天井にコンクリートで固定することができる。
【００２２】
好ましくはガラスから形成されるパネルは、好ましくは１ｍｍ〜２０ｍｍ、好ましくは５ｍｍ〜１３ｍｍ、特に好ましくは８ｍｍ〜９ｍｍの厚さを有する。
【００２３】
安全性を高めるために、パネルは、安全ガラスから形成されることができる。
【００２４】
本発明によれば、温度、熱及び／又は冷気のバリアを用いれば、強化安全ガラスから成るパネルで既に十分である。高価な複層ガラスを用いずに済ますこともできる。対応する温度のバリアを増備する際、古い窓を組み込んだままにすることが可能である。特に、記念建造物とされている建物の場合、目立つ建築基礎構造体へ嵌め込む必要はほとんどない。
【００２５】
少なくとも１つの平らな流体ガイドは、パネルから２ｃｍ〜５０ｃｍ、好ましくは３ｃｍ〜２５ｃｍ、特に好ましくは５ｃｍ〜１５ｃｍだけ離れている。この距離は、使用目的に応じて変えることができる。熱エネルギーの伝達媒体として空気が用いられる場合、概ね１０ｃｍの距離が特に適していることが分かっている。
【００２６】
さらに、本発明は、エネルギー、特に放射エネルギー又は熱エネルギーを吸収且つ／又は放出するための、特に建物に接しているか又は建物の中にある装置と、そのような温度、熱及び／又は冷気のバリアを有する空調システムと、上述の装置のうちの１つが設けられている建物とを含む。
【００２７】
ここで、熱エネルギーの伝達媒体が流体を含むことが有利である。これは、この熱エネルギーの伝達媒体は、流体循環路内で循環するように配置され、また以下においてさらに詳細に記載される対応する構成要素を用いる際にも、熱の吸収及び放出の能力に関して最適化可能であるためである。
【００２８】
ここで、多くの場合、特に熱伝達媒体として空気を用いる際に熱エネルギーの伝達媒体が気体であることが非常に有利である。これは、完全には閉じていない循環路を形成することができ、当該循環路では、特定の部分において室内の空気との交換が可能であるためである。したがって、部分的に開いている循環路の対応するガイドにおいて、同様に、新鮮な空気を規定して供給することができるか、又は空気の湿度の影響によって室内の気候を非常に有利に調整することができる。
【００２９】
そのような部分的に開いている循環路のために、有利には、透明な鎧戸又は透明でない鎧戸も用いることができる。ここで、好ましくは、第２のパネルは鎧戸であり、特にこの鎧戸は、金属製の鎧戸を含むことができる。
【００３０】
さらに、熱エネルギーの伝達媒体は、吸収を向上させるために、有利にはＣＯ２、窒素、及び／又は赤外線吸収（ＩＲ吸収）ガスを含むことができる。当該伝達媒体は、好ましくは、閉じている流体循環路においても導くことができる。
【００３１】
閉じている流体循環路では、流体が水を、液体状で、滴状で、又は水蒸気として含むことがさらにまた有利である。
【００３２】
吸収を改善するために又は適切な着色のためにも、熱エネルギーの伝達媒体は、少なくとも１つのＩＲ吸収色素、及び／又は他の可視スペクトル領域内で作用する色素も、溶解させて又は粒状で含むことができる。
【００３３】
さらに、放射からの又は周囲の熱からの熱吸収のために、熱エネルギーの伝達媒体が相変化を有し、当該相変化は、所定の第１の温度において起こり、熱を吸収するのに適しており、好ましくは気化熱の吸収を含むことが非常に有利である。
【００３４】
本発明によるさらなる一実施形態においては、熱エネルギーの伝達媒体は、液体状でノズルに供給される。当該ノズルは、第１のパネル及び／又は第２のパネルの前又は近傍に配置されている。熱エネルギーの伝達媒体は、このノズルによって噴霧され、気体状態への移行において、特に液体状態よりも低い圧力において、より多量に熱を吸収する。この実施形態は、夏季に利用される。
【００３５】
そして、気体の熱エネルギーの伝達媒体は、蓄熱器に供給することができる。熱エネルギーの伝達媒体は、当該蓄熱器の近くで、当該蓄熱器内で、又は当該蓄熱器の傍で、好ましくは加圧された状態で凝縮し、熱の一部を放出することができる。
【００３６】
さらに、熱エネルギーの伝達媒体は、Ｆｒｅｏｎ（登録商標）及び／若しくはＦＣＫＷ無含有冷却剤を含むことができるか、又はこれらと共に混合物を形成することができ、流体ポンプによって、特に過剰圧力及び／又は低圧力の導入によって外部から動かされることができる。
【００３７】
本発明のさらなる一構成においては、流体を排出するために、パネルと平らな流体ガイドとの間に、隙間を有する少なくとも１つの管、特にスリット付き管が配置される。そのような管によって、適切な流体の流れを調整することができる。
【００３８】
好ましくは、流体を排出するための管は、基本的に温度、熱及び／又は冷気のバリアの上方領域に配置される。これに対して、流体を供給するための対応する管は、基本的に温度、熱及び／又は冷気のバリアの下方領域に配置される。したがって、下から上へと進む、均一な流体の流れを調整することができる。
【００３９】
さらに、管は好ましくは、基本的に温度又は熱のバリアの全幅にわたって延在する。
【００４０】
第１のパネル及び／又は第２のパネルが、少なくとも１つの被覆を有することも有利である。
【００４１】
第２のパネルが、ＩＲ反射率を向上させた少なくとも１つの層を被覆されている場合、吸収は、放射の反射された部分によって再び向上する。
【００４２】
このことは、第２のパネルが少なくとも１つのＩＲ吸収色素を含む場合にも成功する。これは、この第２のパネルは、熱エネルギーの伝達媒体と直接接触しており、この熱又は冷気の一部を放出することができるためである。
【００４３】
ここで、本発明の意図においては、ＩＲ吸収、すなわち赤外線吸収という概念は、６００ｎｍを超える長さの光波長において、可視スペクトル領域におけるよりもより高い吸収能力を有するすべてのものを含む。
【００４４】
建築の観点からすると、有利には、たとえばデザインの理由により、又はたとえば医療若しくは衛生設備の分野におけるプライバシーの保護のためにも、第２のパネルが、摺ガラスを含む少なくとも１つの領域及び／又は不透明な少なくとも１つの領域を含むことが可能である。
【００４５】
第２のパネルが屈光性であるか又は屈光性の物質を含む場合、着色により吸収率を向上させることができるだけでなく、自己調整システムを作ることもできる。当該自己調整システムは、明るすぎる場合にこの明るさを所望の範囲内に保つ。当該所望の範囲は、たとえば商業環境においてコンピュータ作業環境（ディスプレイの中の職場）に関して大きな利点をもたらす。
【００４６】
本発明を実現するために、第１の、第２の及び／若しくは第３のパネル又はフォイルが、ガラス又はプラスチックを含むことができる。特に洗浄、修理又はメンテナンスに関して第１のパネル及び／若しくは第２のパネル、カーテン、又は第１のパネル及び／若しくは第２のパネルの一部が、移動可能又は取り外し可能に配置されることが非常に有利である。
【００４７】
本発明のさらなる一構成においては、平らな流体ガイドがカーテンとして形成される。当該カーテンは、少なくとも１つのローラによって移動可能である。したがって、特に電気駆動によって、カーテンは簡単に開閉することができる。カーテンを導くための且つ／又は動かすためのローラは、好ましくはパネル領域の外側において、温度、熱及び／又は冷気のバリアの上方領域及び／又は下方領域にある。
【００４８】
本発明のさらなる一構成においては、パネル及び／又は平らな流体ガイドの上に少なくとも部分的に太陽電池が配置され、特に圧着される。特に、基本的に透明な太陽電池は、好ましくはアモルファスシリコンから形成されて設けられる。したがって、パネルは、アモルファスシリコンから成る層と共に用いることができる。当該アモルファスシリコンは、パネルに薄く色をつけることを可能にし、同時に、太陽電池として電流を得るために用いられる。代替的に又は組み合わせて、太陽電池は、透明でない流体ガイドの上にも配置することができる。
【００４９】
太陽電池は、好ましくは、基本的に透明な導電体を介して接触される。
【００５０】
本発明の好ましい一実施の形態においては、平らな流体ガイドは移動可能であり、基本的に周縁に配置される磁石によって導かれ、且つ／又は基本的に流体を通さないように保たれる。したがって、流体が大量に室内に流れることが防止される。同時に、平らな流体ガイドは、磁気留め具を用いて取り付けることもできる。
【００５１】
代替的に、本発明によれば、平らな流体ガイドが、少なくとも１つの締結縁に取り付けられることが意図される。
【００５２】
本発明によれば、熱エネルギーの伝達媒体は、好ましくは、特に建物の壁又は屋根内の、さらなる温度、熱及び／若しくは冷気のバリア、又は集熱器（熱光起電デバイス）システムによって導かれ、得られた熱をそこで放出することができる。
【００５３】
本発明のさらなる構成においては、温度、熱及び／又は冷気のバリアは、建物の透明な屋根の一部であることができるか、又は建物の内壁の一部であることもできる。
【００５４】
本発明のまたさらなる構成においては、温度、熱及び／又は冷気のバリアは、窓の一部であることができるか、又はドアの一部であることができる。当該窓又はドアの一部は、柔軟な供給管及び排出管を通じて流体循環路に接続し、したがって、夏には冷房のために、冬には暖房のために役立つ。したがって、冬には冷橋を、また夏には「温橋」を回避することができる。
【００５５】
このために、特に冬又は外の温度が低い場合では、温度、熱及び／又は冷気のバリアは、内部空間に対して相対的に上昇温度まで加熱される、熱エネルギーの伝達媒体が流れ通ることができ、暖房装置として用いることができる。
【００５６】
建物の床、特に床舗装部に敷設される、熱伝達媒体の、温度、熱及び／若しくは冷気のバリアへの供給管及び／又は当該バリアからの排出管によって、このバリアは、暖房装置として、特に床及び壁の暖房装置としても用いることができる。そして特に有利には、流量は、温度、熱及び／又は冷気のバリアと、床又は床舗装部に敷設されている管とに沿って通じているバイパス管及び割り当てられているバルブを用いて、別個に制御及び／又は調節することができる。したがって、適切に部分的に、冷却を行うことも、加熱を行うことも可能である。
【００５７】
床舗装部の内部に供給管及び排出管を敷設することによって、有利には、既に存在する建物に本発明による温度及び熱のバリアを増備することもできる。
【００５８】
有利には、そのような空調システムはさらに、蓄熱器、特に地中の蓄熱器と、流体ガイドシステムとを備える。これらは、ＰＣＴ国際公開ＷＯ９７／１０４７４号の空調システム又は建物のためのエネルギー設備において記載されているようなものである。ＰＣＴ国際公開ＷＯ９７／１０４７４号はまた、参照によりその全体が、本開示及び本発明の対象となる。
【００５９】
さらに、温度、熱及び／又は冷気のバリアは、既に存在している建物の建物ファサードの前にも、気候のバリアとして配置することができる。当該バリアは、建物の空調を行う際に建物のエネルギーバランスに関して改善された状態で損失率を最適化することができ、また建物の換気に関しても損失率を最適化することができる。
【００６０】
この目的のために、温度、熱及び／又は冷気のバリアは、本発明の一実施の形態において有利には、建物の正面の窓の前で、また壁の一部の前で、それらの全面にわたって配置することができる。
【００６１】
本発明の代替の一実施の形態は、少なくとも１つの部分的に透明なパネルを有する温度、熱及び／又は冷気のバリアに関する。ここで、内側又は外側において、好ましくは、パネルの内側に沿って熱エネルギーの伝達媒体を導くことができる。熱エネルギーの伝達媒体は、対流によって又はパネルに対して外部から動かされて移動可能である。
【００６２】
この実施の形態によれば、第２の流体ガイドが設けられるのではなく、熱エネルギーの伝達媒体は、温度のバリアを形成するカーテンとしてパネルに沿って導かれる。
【００６３】
本発明のこの実施の形態によって、特に古い建物を、多大な費用をかけずに且つ建築基礎構造体へ嵌め込む必要もなく増備することができる。
【００６４】
好ましくは、下方領域において又はパネルの下方において且つ上方領域において又はパネルの上方において、熱エネルギーの伝達媒体を排出及び供給する手段が配置される。したがって、熱エネルギーの伝達媒体は、下から上へ又は上から下へパネルに沿って導くことができる。
【００６５】
本発明の好ましい一実施の形態においては、温度、熱及び／又は冷気のバリアは、夏においては冷たい空気が上から下へパネルに沿って導かれ、冬においては温かい空気が下から上へ導かれるように構成される。
【００６６】
このように、建物は空調されることができる。さらに、好ましくは、少なくとも１つの蓄熱器が設けられる。当該蓄熱器は、温度が高い場合にエネルギーを供給される。外の温度が低い場合、この空調システムは切り替えることができる。ここで、熱エネルギーは、蓄熱器から取り出され、温かい空気が下から上へパネルに沿って導かれる。
【００６７】
本発明の特別な一実施の形態においては、温度調節のために、少なくとも２つの蓄熱器が異なる温度範囲を有する。
【００６８】
熱エネルギーの伝達媒体は、好ましくは、少なくとも１つの隙間を有する管を介して供給及び排出される。ここで管自体は、実質的に任意の形態を有することができる。好ましくは、管は、熱エネルギーの伝達媒体の流出及び流入のためのスリットを有する。
【００６９】
このスリットは、好ましくは流れの方向に延在し、さらにその上部は流れに影響を与えることができる。
【００７０】
したがって、熱エネルギーの伝達媒体は、基本的に層状に流れることができる。この方法で流体カーテンが形成され、乱流によって連続的に空間に流れる流体による、干渉する空気流が低減される。
【００７１】
本発明の好ましい一実施の形態においては、パネルは窓の一部であり、当該窓は開くことができる。特に夏においては、窓が開いている場合であっても冷房を行う流体カーテンを形成することができる。
【００７２】
さらに、本発明は、少なくとも１つの蓄熱器、特に地中の蓄熱器を備える建物に関する。蓄熱器内に、温度、熱及び／又は冷気のバリアによって得られる熱を蓄えることができる。しかし特別に、平均気温が高い地域においては、夜に蓄熱器を冷却して、日中に建物を温度、熱及び／又は冷気のバリアによって冷房することも可能である。
【００７３】
これに関して、本発明のさらなる一構成においては、異なる温度水準に保たれる２つの蓄熱器が設けられる。したがって、１つの蓄熱器は冷房に役立ち、他方の蓄熱器は暖房に役立つ。
【００７４】
建物は、好ましくは、さらにソーラーパネル及び／又は熱交換器を備える。ソーラーパネル及び／又は熱交換器は、本発明の特別な一実施の形態においては、少なくとも部分的に温度、熱及び／又は冷気のバリアによってエネルギーを供給される。
【００７５】
さらに、本発明は、天窓を備える、本発明による温度、熱及び／又は冷気のバリアと、モジュール式に組み立てられる屋根とを備える。そのような屋根は、特に改装作業において簡単に増備することができる。
【００７６】
本発明は、以下において、好ましい実施形態に基づいて添付の図面を参照しながらより詳細に説明される。
【発明を実施するための最良の形態】
【００７７】
好ましい実施形態の以下の説明においては、同じ参照符号が、様々な実施形態の同じか又は同様の構成要素に対して用いられている。さらに、図面における描写は、明瞭にするために単に概略的に行われており、個々の構成要素は、一定の縮尺に基づいて描写されていない。
【００７８】
以下においては、閉じている流体循環路を有する実施形態も、少なくとも部分的に開いている流体循環路を有する実施形態も説明される。
【００７９】
ここで、閉じているシステムは、図１〜図５及び図７〜図９の実施形態に対応する。一方、少なくとも部分的に開いているシステムは、図１０〜図１２の実施形態において示される。
【００８０】
閉じているシステムにおいては、基本的に、熱伝達媒体と内部空間との間の連絡は存在しない。このことは、熱伝達媒体が内部空間に入らないことを意味する。
【００８１】
ここで、たとえば、ＰＣＴ国際公開ＷＯ９７／１０４７４号に記載されているような完全に閉じている流体循環路が存在がする。たとえば熱伝達媒体として水を有する温度及び熱のバリアは、そこに記載されている循環路の一部とすることができる。当該熱伝達媒体は、夏又は暑い日には、地中の蓄熱器を加熱し、冬又は寒い日には、この蓄熱器から熱を暖房の目的で取り出す。
【００８２】
さらに、たとえば熱エネルギーの伝達媒体として空気を用いる場合に、熱伝達媒体の部分的に閉じている循環路が存在し得る。当該部分的に閉じている循環路では、熱エネルギーの伝達媒体は、基本的に建物の内部空間に対して閉鎖されている状態で導かれるが、建物の外部空間とは連絡している。たとえばこのことは、たとえば向流の原則に則して吸気に対して相対的に排気が行われる場合に該当する。
【００８３】
さらに、本発明は、好ましくは熱伝達媒体として空気を有する部分的に開いているシステムを含む。当該システムにおいては、移動する空気は、空調された空気を供給することができるか、又は排気を排出することができ、これに関して、内部空間と流体循環路との間の対応する開口のための意図される低圧力は排出のために調整することができ、内部空間と流体循環路との間の対応する開口のための意図される過剰圧力は、内部空間内の気圧に関連してその都度調整することができる。
【００８４】
この過剰圧力及び／又は低圧力は、流体ポンプ、特に換気装置及び／又は排気装置によって、規定して調整することができ、その結果、利用者にとって最適な環境を常に調整することができる。さらに、供給された室内の空気を対応して加湿又は除湿することができる。
【００８５】
さらなる説明においては、流体ポンプという概念は、換気装置、排気装置、液体ポンプ、又は気体成分及び液体成分を供給するために適しているポンプを含む。
【００８６】
本発明のさらなる構成においては、当該構成の多数の実施形態は、既に存在するエネルギー設備、又は特にＰＣＴ国際公開ＷＯ９７／１０４７４号による空調システムと一体化することができる、その結果、特に広いガラス表面の領域、又は窓若しくはドアの領域内における温橋又は冷橋を均一に回避することができる。
【００８７】
以下の詳細な説明においては、まず図１が参照される。図１は、符号１で全体的に示されている建物の一部を示す断面図である。当該建物においては、本発明の第１の実施形態が実現された。当該第１の実施形態では、温度、熱及び／又は冷気のバリア２は、建物の外壁３の一部である。
【００８８】
温度、熱及び／又は冷気のバリア２は、第１の少なくとも部分的に透明なパネル４と第２の好ましくは少なくとも部分的に透明なパネル５とを備える。ここで、第１のパネルと第２のパネルとの間には熱エネルギーのための伝達媒体６が配置されている。
【００８９】
第１の少なくとも部分的に透明なパネル４は、図１に概略的に示唆されている、建物の壁３内の封止によって流体を通さないように保たれている。第２の好ましくは少なくとも部分的に透明なパネル５は、第１のパネル４の後ろに配置され、概略的に示唆されている封止によって同様に流体を通さないように保たれている。
【００９０】
熱エネルギーの伝達媒体６は、放射、特に熱放射を吸収するのに適しており、対流によって且つ／又は第１のパネル４及び第２のパネル５に対して外部から動かされて移動する。それによって、この媒体を用いて、吸収された放射又は吸収された熱の伝熱が、温度、熱及び／又は冷気のバリア２から蓄熱器、特に地中の蓄熱器１７へと行われる。当該地中の蓄熱器１７は、以下において図６を参照して、さらに詳細に説明される。
【００９１】
この伝導のために、熱エネルギーの伝達媒体は、対流によって又は液体ポンプによって外部から動かされることができる流体を含む。外部から動されるとは、本発明によれば、低圧力又は過剰圧力によって生じるそれぞれの流体の移動であって、特にこの移動を生じるのに適している、供給及び／又は排出を行う液体ポンプが用いられる、流体の移動と理解される。
【００９２】
本発明による第１の実施形態においては、熱エネルギーの伝達媒体６は、気体であり、空気、ＣＯ２、窒素及び／又は所望に応じてさらなるＩＲ吸収ガスを含む。
【００９３】
以下においては図２が参照される。図２は、本発明の第２の実施形態が実現された建物の一部を示す断面図である。当該第２の実施形態においては、温度、熱及び／又は冷気のバリアは建物の外壁の一部であり、少なくとも第２のパネル５が、被覆７を備える。
【００９４】
第２のパネル５は、この実施形態においては、ＩＲ反射率が向上している少なくとも１つの層が被覆されており、さらに少なくとも１つのＩＲ吸収色素を含むことができる。
【００９５】
さらに、第２のパネル５は、摺ガラスを含む領域及び／又は不透明な領域８を含むことができる。当該領域は、第２のパネル５の全面にわたって又は一部にわたって延在することができる。
【００９６】
本発明によるさらなる構成においては、第２のパネルは、屈光性であることができるか、又は屈光性の物質を含むことができる。
【００９７】
以下においては図３が参照される。図３は、本発明の第３の実施形態が実現された建物１の一部を示す断面図である。当該第３の実施形態においては、温度、熱及び／又は冷気のバリア２は、同様に建物の外壁３の一部であり、液体である、特に水を含む熱エネルギーの伝達媒体６が用いられ、当該伝達媒体６は、吸収力が向上している色素を有する。
【００９８】
好ましくは、熱エネルギーの伝達媒体は、少なくとも１つのＩＲ吸収色素を含み、当該ＩＲ吸収色素は、伝達媒体内に溶解しているか、又は粒子状で混合されている。
【００９９】
したがって、温度、熱及び／又は冷気のバリア２のこの実施形態は、ＰＣＴ国際公開ＷＯ９７／１０４７４号による建物のためのエネルギー設備の流体循環路と一体化することができる。
【０１００】
図４は、本発明の第４の実施形態が実現された建物１の一部を示す断面図である。当該第４の実施形態においては、温度、熱及び／又は冷気のバリア２は、建物の外壁３の一部であり、吸収を行う、流体である熱エネルギーの伝達媒体が用いられ、当該伝達媒体は、格子状又はスポンジ状の熱吸収性構造体９を通り抜ける。
【０１０１】
格子状又はスポンジ状の熱吸収性構造体９は、少なくとも１つのＩＲ吸収色素が、その表面に又はその固体材料内に設けられており、第１のパネルを通る光の吸収を大幅に向上させ、この光の吸収を熱の形態で、貫流する熱エネルギーの伝達媒体６に渡す。
【０１０２】
構造体９は、金属又はプラスチックから成る堅固な格子を含むことができるか、又は代替的に金属製の鎧戸も含むことができる。当該構造体９は、当業者には既知の方法で、好ましくは電動で開閉することができ、また第１のパネル４及び第２のパネル５の間で、又は第１のパネル４及び第２のパネル５から離れて電動で移動することができる。
【０１０３】
図５は、本発明の第３の実施形態が実現された建物１の一部を示す断面図である。当該第３の実施形態においては、温度、熱及び／又は冷気のバリア２は、建物の外壁３の一部であり、流体である熱エネルギーの伝達媒体６が用いられ、当該伝達媒体６は、噴霧することができ、気体状態において相変化を有する。
【０１０４】
この実施形態においては、熱エネルギーの伝達媒体は流体として、流体循環路１０の内部の位置に応じて水を、液体状で、滴状で、又は水蒸気としても含むことができる。
【０１０５】
代替的には、熱エネルギーの伝達媒体６は、Ｆｒｅｏｎ（登録商標）及び／若しくはＦＣＫＷ無含有冷却剤を含むことができるか、且つ／又はこれから成ることができる。
【０１０６】
ここで、熱エネルギーの伝達媒体６は、相変化を有する。当該相変化は、所定の第１の温度において起こり、熱を吸収するのに適している。相変化は、気化熱の吸収を含む。
【０１０７】
図５に示される実施形態においては、熱エネルギーの伝達媒体６は、流体循環路１０の供給管１１内で、液体の状態で且つ過剰圧力によって、概略的にしか示されていないノズル１２に供給され、当該ノズル１２から噴霧される。それによって、最も細かく分割された滴を有する霧１３が生じる。当該霧１３においては、滴の全体の表面積は、供給管１１内の液体の表面積よりも何倍も大きい。したがって、伝達媒体の気化と、気化熱の除去とが大幅に促進される。
【０１０８】
さらに、流体循環路１０の排出管１４によって付加的に低圧力が生じることが可能である。当該排出管１４は、気化を再び大幅に促進する。
【０１０９】
気体状態への移行においては、特に液体状態におけるよりも低いこの圧力においては、熱エネルギーの伝達媒体６は、したがって熱を大幅に吸収する。
【０１１０】
ここで、熱エネルギーの伝達媒体６は、１つ又は複数の流体ポンプによって、特に流体循環路１０の排出管１４に沿った過剰圧力及び／又は低圧力の導入によって、蓄熱器１７へ送られるように移動する。当該蓄熱器１７においては、圧力の向上によって、特に流体ポンプによって、凝縮が生じることが可能である。ここで、当該蓄熱器１７に凝縮熱が供給される。この凝縮の後、熱エネルギーの伝達媒体６は、再び液体の状態で存在し、ノズル１２に再び対応して供給される。
【０１１１】
以下においては図６が参照される。図６は、蓄熱器１７、特に地中の蓄熱器を通る流体循環路を示す概略図である。当該蓄熱器には、第１の流体循環路１０が通っている。当該第１の流体循環路１０は、少なくとも１つのさらなる流体循環路１５を含む。当該蓄熱器１７にこの流体循環路１５は熱を供給することができるか、又は当該蓄熱器１７からこの流体循環路１５は熱を吸収することができる。
【０１１２】
さらなる流体循環路１６においては、たとえば本発明によるさらなる温度、熱及び／又は冷気のバリア１６が配置されている。当該バリア１６は、熱を流体循環路１５に供給することができるか、又は暖房の目的でこの流体循環路１５から熱を取り出すことができる。
【０１１３】
ここで、一般的には、温度、熱及び／又は冷気のバリア２も、温度、熱及び／又は冷気のバリア１６にも、内部空間に対して相対的に上昇温度まで加熱される熱エネルギーの伝達媒体が流れ通ることができ、暖房装置としても利用できる。
【０１１４】
ここで、分離している流体循環路１０及び１５によって、流体循環路の熱の供給及び放出を別個に制御することができる。したがって、建物の温度が高い側で熱を吸収し、建物の温度が低い側に熱を放出することが同時に可能である。
【０１１５】
又は、外の温度がより高い場合に、全ての流体循環路において熱を吸収することが可能である。また、全ての流体循環路によって、加熱の目的で、温度又は熱のバリア２及び１５に熱を供給することができる。本発明によれば、３つ以上の分離しており且つ別個に調節及び制御可能な流体循環路と、２つ以上の蓄熱器とを用いることができる。
【０１１６】
ここで、有利には、たとえば図８〜図１２に示されているように、熱伝達媒体６の、温度、熱及び／又は冷気のバリア２及び２０への供給管１１及び／又は当該バリアからの排出管１４が、建物の床１８又は床舗装部１９に敷設されている。
【０１１７】
ここで、温度、熱及び／又は冷気のバリア２、１６及び２０と、床に配置されている供給管１１及び排出管１４とは、内部空間に対して相対的に上昇温度まで加熱される熱エネルギーの伝達媒体６が流れ通ることができ、暖房装置として、特に別個に制御可能且つ／又は調節可能な床及び壁の暖房装置として用いることができる。
【０１１８】
ここで、図７は、建物１の一部を、当該建物の床１８の一部と共に示す断面図である。図７においては、温度、熱及び／又は冷気のバリア２及び２０の第１のパネル４は、建物の外壁３の一部であり、厚いガラス２１を有する。
【０１１９】
図８は、建物１の一部を当該建物の床１８の一部と共に示す断面図である。図８においては、温度、熱及び／又は冷気のバリア２及び２０の第１のパネル４は、建物の外壁３の一部であり、二重ガラス２２を有する。
【０１２０】
図９は、本発明の一実施形態が実現された建物１の一部を、当該建物の床１８の一部と共に示す断面図である。当該一実施形態においては、温度、熱及び／又は冷気のバリアは、建物の外壁の一部であり、供給管及び排出管が、建物の床１８の床舗装部１９に敷設されている。
【０１２１】
上述の温度又は熱のバリア２、１６及び２０においては、第１のパネル４及び／又は第２のパネル５は、ガラス又はプラスチックを含むことができるか、又はこれらの材料から成ることができる。
【０１２２】
ここで、有利には、第１のパネル及び／若しくは第２のパネル又は第１のパネル及び／若しくは第２のパネルの一部は、移動可能又は取り外し可能に配置される。
【０１２３】
ここで、パネルは、たとえば固定及びねじ込みが可能で、且つ取り付けの後にパネル４及び５の安定した位置を保証する、パネルに先行して配置される縁によって完全に外すこともできるように取り外し可能に配置される。
【０１２４】
図１０は、本発明の一実施形態が実現された建物１の一部を、当該建物の床１８の一部と共に示す断面図である。当該一実施形態においては、温度、熱及び／又は冷気のバリア２及び２０は、第２のパネル４として、それぞれ鎧戸、特に金属製の鎧戸２３及び２４を有する。
【０１２５】
これらの鎧戸２３及び２４は、図１０においてローラ２５と鎧戸２３及び２４の近くの矢印とによって例示的に示されているように、第１のパネル４に対して相対的に上下に移動することができる。したがって、鎧戸２３及び２４が下へ移動する場合は、部分的に開いている流体循環路２５及び２６が生じる。
【０１２６】
部分的に開いている流体循環路２５及び２６では、好ましくは、熱エネルギーの伝達媒体６として空気が提供され、低圧力を選択することによって、たとえば排出管１４内で、おおよその量の排気を建物１の内部空間２７から排出することが可能になる。
【０１２７】
しかし、部分的に開いている流体循環路２５及び２６は、過剰圧力を選択することによって、たとえば供給管１１内で、おおよその量の吸気、特に空調された吸気を、例示的に建物１の内部空間２８に供給することも可能にする。
【０１２８】
この実施形態において、第１のパネル４がたとえば取り外し可能に構成されると、上へ移動する鎧戸２４によって、外側へむかって、たとえばバルコニー又はテラスへ通じる拡大された通路をもたらすことができる。
【０１２９】
図１１は、建物１の一部を当該建物の床１８の一部と共に示す断面図である。図１１においては、第２のパネル５は、少なくとも部分的に領域２９において取り外し可能に又は開くことができるようになっている。建物の天井内には、ここではコンクリートで固定されることができる締結レールとして構成される留め具３９が配置され、それによって、ファサードのガラス要素を保持する。
【０１３０】
図１２は、建物１の一部を当該建物の床１８の一部と共に示す断面図である。図１２においては、第１のパネル４及び第２のパネル５は、少なくとも部分的に領域２９又は３０において取り外し可能に又は開くことができるようになっている。
【０１３１】
図１３及び図１４は、本発明の一実施形態が実施された建物１の一部を示す断面図である。当該一実施形態においては、温度、熱及び／又は冷気のバリアは、建物の外壁の一部であり、平たい流体ガイドとしてカーテン３１及び３２設けられる。カーテンとして、内側カーテン３１と外側カーテン３２とが提供される。外側カーテン３１は、反射性の被覆を設けられ、好ましくは、夏において光の入射の度合いが強い場合には閉められる。これに対して内側カーテン３２は、透明に形成される。カーテンは、偏向ローラ３３によって動くことができ、側壁へと引くことができる。外側カーテン３１は、図１３の描写では上方領域において開いている。図１４では、夏において両方のカーテン３１及び３２がどのように閉められるかを示している。
【０１３２】
図１５は、建物１の一部を示す断面図である。当該建物１においては、温度、熱及び／又は冷気のバリアは、建物の外壁の一部であり、平らな流体ガイドとして被覆されているカーテン３４が提供される。被覆は反射層であり、当該反射層は、カーテン３４の外側のみにあり、被覆されているカーテン３４の内側を任意に構成することができることを可能にする。被覆されているカーテン３４は、磁気レール４０によって建物１に取り付けられている。
【０１３３】
図１６は、建物１の一部を示す断面図である。当該建物１においては、温度、熱及び／又は冷気のバリアは、建物の外壁の一部であり、被覆されているカーテンの代わりに、被覆されている第２のパネル３５が設けられる。
【０１３４】
図１７は、本発明の一実施形態が実現された建物１の一部を示す断面図である。当該一実施形態においては、温度、熱及び／又は冷気のバリアは、建物の外壁の一部であり、第２のパネルが設けられ、流体を取り込むか又は排出するために、スリット付き管３６及び３７が設けられる。スリット付き管３６及び３７は、基本的に温度、熱及び／又は冷気のバリアの下方及び上方の領域に配置される。流体は、下方のスリット付き管３６を介して供給され、一方上方のスリット付き管を介して排出される。管は、基本的にパネルの全幅にわたって延在しているため、非常に均一な空気の流れが達成される。
【０１３５】
図１８は、本発明の一実施形態が実現された建物の一部を示す断面図である。当該一実施形態においては、温度、熱及び／又は冷気のバリアは、建物の外壁の一部であり、第２のパネルが設けられ、流体を導き通すために換気システムが設けられている。第１のパネル４と第２のパネル５との間の上方に配置されている換気装置３８は、流体の流れをもたらす。
【０１３６】
上述した温度又は熱のバリアは、建物の一部として形成する必要はなく、建物のファサードの前に気候のバリアとして配置することもできる。ここで、供給管１１及び排出管１４は、好ましくは、パネル５及び４のあまり透明でないか又は不透明の領域の後ろに配置され、蓄熱器１７は、建物１の前に存在することができる。ここで、本発明による温度及び熱のバリアは、代替的に、建物の正面の窓の一部の前で、また壁の一部の前で、それらの全面にわたって配置することができる。
【０１３７】
さらに、温度、熱及び／又は冷気のバリアは、建物の透明な屋根の一部とすることもできるか、内壁の一部とすることもできる。
【０１３８】
本発明のさらなる構成では、温度、熱及び／又は冷気のバリアは、窓又はドアの一部とすることができ、供給管及び排出管が柔軟であるように形成され、その結果、移動可能な要素が循環路内に配置されても、各々の場合において、流体循環路は垂直に保つことができる。さらに、本発明による温度、熱及び／又は冷気のバリアは、あまり透明でないようにも、基本的に完全に透明であるようにも形成することができる。
【０１３９】
図１９は、本発明の一実施形態が実現された建物の一部を示す断面図である。当該一実施形態においては、２つのカーテンが、平らな流体ガイドとして設けられている。上方のカーテン４１は、偏向ローラ３３によって、電気によって下方へ動くことができる。上方のカーテン４１は、反射層を被覆されており、日射量が多い場合には、下方へ動かすことができる。これに対して、下方のカーテン４２は透明に形成される。図１９において示されているように、両方のカーテンは部分的に、下方へ動かすことができるか又は上方へ動かすことができ、その結果、上方の領域においてのみ、流体ガイドは平らに形成される。
【０１４０】
図２０は、基本的に図１９に一致している。上方のカーテン４１は、ロールブラインドのように形成されており、反射層の代わりに、アモルファスシリコン４３から成る太陽電池層を有する。したがって、上方のカーテン４１は、日射が存在する場合、電流を得るのに役立つ。
【０１４１】
図２１は、本発明の一実施形態が実現された建物の一部を示す断面図である。当該一実施形態においては、温度、熱及び／又は冷気のバリアは、建物の外壁の一部であり、さらなる温度、熱及び／又は冷気のバリアが、建物１の屋根領域４５を通じて延在している。ルーフィング４４の下方には、ホース４６が配置されている。当該ホース４６は、集熱器として役立つ。日射が存在する場合、加熱された空気は、ファサードから屋根領域内へと導かれる。当該屋根領域において、その熱は、ルーフィングを介して入り込む熱に加えてホースを介して放出され、蓄熱器へ供給されることができる（図示せず）。
【０１４２】
図２２は、本発明の一実施形態が実現された建物の一部を示す断面図である。当該一実施形態においては、温度、熱及び／又は冷気のバリアは、基本的にロールブラインドのような鎧戸２４として形成される。当該鎧戸２４は、側方のガイド溝４８に沿って導かれる。側方のガイド溝は磁石４７を備え、当該磁石４７は、鎧戸の基本的に流体を通さない設置をもたらす。
【０１４３】
図２３及び図２４は、本発明の一実施形態が実現された建物１の一部を示す断面図である。当該一実施形態においては、温度、熱及び／又は冷気のバリアは、流体ガイドを用いず、熱エネルギーの伝達媒体は、パネルに直接沿って導かれる。パネルは、この実施例においては、窓４９として形成される。
【０１４４】
図２３は、冬における動作を例示的に示す。窓４９は閉まっている。窓４９の下方領域に配置されているスリット付き管３６を介して、蓄熱器（図示せず）から温かい空気が導き入れられる。スリット付き管３６の流出開口（図示せず）は、空気の流れが上方に向かって方向付けられるように空力的に構成される。上方領域に配置されているスリット付き管３７を介して、温かい空気が排出される。温かい空気から成る一種のカーテンが生じ、当該カーテンが熱のバリアを形成する。
【０１４５】
図２４は、夏における動作を示す。窓４９は、新鮮な空気を導き入れるために開いている。流れの方向は、ここでは逆に進行する。すなわち上方のスリット付き管３７を介して冷たい空気が導き入れられ、下方のスリット付き管を介して排出される。ここで、空気の温度は上昇する。熱交換器（図示せず）を介して、いわゆる熱エネルギーは、蓄熱器（図示せず）に供給される。
【０１４６】
図２５は、本発明の一実施形態が実現された建物の一部を概ね水平に示す断面図である。当該一実施形態は、外側カーテン３１と内側カーテン３２とを備える。当該外側カーテン３１と当該内側カーテン３２とは、外壁３の間に配置されているパネル４９の後ろに配置されている。外側カーテン３１は、基本的に透明なプラスチックから形成され、天井及び床に配置されている磁気レール（図示せず）によって張られている。したがって、カーテンを通じて基本的に透明となるパネルが形成される。内側カーテン３２は、圧着されている光起電層を外を向いている側において設けられ、特に遮光に役立つ。
【０１４７】
本発明の主題は、上述の実施例の特徴の組み合わせに限定されるのではなく、当業者は、それらの特徴を、有効である限り任意に組み合わせるであろうことが理解される。
【図面の簡単な説明】
【０１４８】
【図１】本発明の第１の実施形態が実現された建物の一部を示す断面図である。ここで、温度、熱及び／又は冷気のバリアは建物の外壁の一部である。
【図２】本発明の第２の実施形態が実現された建物の一部を示す断面図である。ここで、温度、熱及び／又は冷気のバリアは建物の外壁の一部であり、第２のパネルは被覆を有する。
【図３】本発明の第３の実施形態が実現された建物の一部を示す断面図である。ここで、温度、熱及び／又は冷気のバリアは建物の外壁の一部であり、吸収を行う、流体である熱エネルギーの伝達媒体が用いられ、当該伝達媒体は、吸収力が向上している色素を有する。
【図４】本発明の第４の実施形態が実現された建物の一部を示す断面図である。ここで、温度、熱及び／又は冷気のバリアは建物の外壁の一部であり、吸収を行う、流体である熱エネルギーの伝達媒体が用いられ、当該伝達媒体は、格子状又はスポンジ状の熱吸収性構造体を通り抜ける。
【図５】本発明の第３の実施形態が実現された建物の一部を示す断面図である。ここで、温度、熱及び／又は冷気のバリアは建物の外壁の一部であり、吸収を行う、流体である熱エネルギーの伝達媒体が用いられ、当該伝達媒体は、噴霧されることができ、気体状態において相変化を有する。
【図６】蓄熱器、特に地中の蓄熱器を通る流体循環路を示す概略図である。
【図７】本発明のさらなる実施形態が実現された建物の一部を当該建物の床の一部と共に示す断面図である。ここで、温度、熱及び／又は冷気のバリアは建物の外壁の一部であり、厚いガラスを有する。
【図８】本発明のまたさらなる実施形態が実現された建物の一部を当該建物の床の一部と共に示す断面図である。ここで、温度、熱及び／又は冷気のバリアは建物の外壁の一部であり、二重ガラスを有する。
【図９】本発明の一実施形態が実現された建物の一部を当該建物の床の一部と共に示す断面図である。ここで、温度、熱及び／又は冷気のバリアは建物の外壁の一部であり、供給管及び排出管が、建物の床の床舗装部に敷設されている。
【図１０】本発明の一実施形態が実現された建物の一部を当該建物の床の一部と共に示す断面図である。ここで、温度、熱及び／又は冷気のバリアは、第２のパネルとして鎧戸、特に金属製の鎧戸を有する。
【図１１】本発明の一実施形態が実現された建物の一部を当該建物の床の一部と共に示す断面図である。ここで、第２のパネルは、少なくとも部分的に取り外し可能になっているか又は開くことができるようになっている。
【図１２】本発明の一実施形態が実現された建物の一部を当該建物の床の一部と共に示す断面図である。ここで、温度、熱及び／又は冷気のバリアは建物の外壁の一部であり、第２のパネル及び第１のパネルが、少なくとも部分的に取り外し可能になっているか又は開くことができるようになっている。
【図１３】本発明の一実施形態が実現された建物の一部を示す断面図である。ここで、温度、熱及び／又は冷気のバリアは建物の外壁の一部であり、平らな流体ガイドとしてカーテンが設けられる。
【図１４】本発明の一実施形態が実現された建物の一部を示す断面図である。ここで、温度、熱及び／又は冷気のバリアは建物の外壁の一部であり、平らな流体ガイドとしてカーテンが設けられる。
【図１５】本発明の一実施形態が実現された建物の一部を示す断面図である。ここで、温度、熱及び／又は冷気のバリアは建物の外壁の一部であり、平らな流体ガイドとして被覆されているカーテンが設けられる。
【図１６】本発明の一実施形態が実現された建物の一部を示す断面図である。ここで、温度、熱及び／又は冷気のバリアは建物の外壁の一部であり、被覆されている第２のパネルが設けられる。
【図１７】本発明の一実施形態が実現された建物の一部を示す断面図である。ここで、温度、熱及び／又は冷気のバリアは建物の外壁の一部であり、第２のパネルが設けられ、流体を取り込むか又は排出するために、スリット付き管が設けられる。
【図１８】本発明の一実施形態が実現された建物の一部を示す断面図である。ここで、温度、熱及び／又は冷気のバリアは建物の外壁の一部であり、第２のパネルが設けられ、第２のパネルが提供され、流体を導き通すために換気システムが設けられている
【図１９】本発明の一実施形態が実現された建物の一部を示す断面図である。ここで、２つのカーテンが、平らな流体ガイドとして設けられている。
【図２０】本発明の一実施形態が実現された建物の一部を示す断面図である。ここで、流体ガイドは、アモルファス太陽電池層を設けられる。
【図２１】本発明の一実施形態が実現された建物の一部を示す断面図である。ここで、温度、熱及び／又は冷気のバリアは建物の外壁の一部であり、さらなる温度、熱及び／又は冷気のバリアが、建物の屋根領域を通じて延在している。
【図２２】本発明の一実施形態が実現された建物の一部を示す断面図である。ここで、温度、熱及び／又は冷気のバリアは、基本的にロールブラインドのようなカーテンとして形成される。
【図２３】本発明の代替の一実施形態が実現された建物の一部を示す断面図である。ここで、温度、熱及び／又は冷気のバリアは、流体ガイドを用いず、熱エネルギーの伝達媒体が、パネルに直接沿って導かれる。
【図２４】本発明の代替の一実施形態が実現された建物の一部を示す断面図である。ここで、温度、熱及び／又は冷気のバリアは、流体ガイドを用いず、熱エネルギーの伝達媒体が、パネルに直接沿って導かれる。
【図２５】本発明の一実施形態が実現された建物の一部を概ね水平に示す断面図である。
【符号の説明】
【０１４９】
１  建物
２  温度、熱及び／又は冷気のバリア
３  建物の外壁
４  第１の少なくとも部分的に透明なパネル
５  第２の好ましくは少なくとも部分的に透明なパネル５
６  熱伝達媒体
７  被覆
８  摺ガラス及び／又は不透明な領域
９  格子状又はスポンジ状の熱吸収性構造体
１０  流体循環路
１１  供給管
１２  ノズル
１３  霧
１４  排出管
１５  さらなる流体循環路
１６  さらなる温度又は熱のバリア
１７  蓄熱器、特に地中の蓄熱器
１８  床
１９  床舗装部
２０  温度又は熱のバリア
２１  厚いガラス
２２  二重ガラス
２３  鎧戸、特に金属製の鎧戸２４
２４  鎧戸、特に金属製の鎧戸
２５  部分的に開いている流体循環路
２６  部分的に開いている流体循環路
２７  内部空間
２８  内部空間
２９  パネル５の領域
３０  パネルの領域
３１  外側カーテン
３２  内側カーテン
３３  偏向ローラ
３４  被覆されているカーテン
３５  被覆されているパネル
３６  下方のスリット付き管
３７  上方のスリット付き管
３８  換気装置
３９  留め具
４０  磁気レール
４１  上方のカーテン
４２  下方のカーテン
４３  アモルファスシリコンから成る層
４４  ルーフィング
４５  屋根領域
４６  ホース
４７  磁石
４８  ガイド溝
４９  窓
【図１】
2009503285.tif 000003
【図２】
2009503285.tif 000004
【図３】
2009503285.tif 000005
【図４】
2009503285.tif 000006
【図５】
2009503285.tif 000007
【図６】
2009503285.tif 000008
【図７】
2009503285.tif 000009
【図８】
2009503285.tif 000010
【図９】
2009503285.tif 000011
【図１０】
2009503285.tif 000012
【図１１】
2009503285.tif 000013
【図１２】
2009503285.tif 000014
【図１３】
2009503285.tif 000015
【図１４】
2009503285.tif 000016
【図１５】
2009503285.tif 000017
【図１６】
2009503285.tif 000018
【図１７】
2009503285.tif 000019
【図１８】
2009503285.tif 000020
【図１９】
2009503285.tif 000021
【図２０】
2009503285.tif 000022
【図２１】
2009503285.tif 000023
【図２２】
2009503285.tif 000024
【図２３】
2009503285.tif 000025
【図２４】
2009503285.tif 000026
【図２５】
2009503285.tif 000027
【国際調査報告】
2009503285.tif 000028
2009503285.tif 000029
2009503285.tif 000030
2009503285.tif 000031
2009503285.tif 000032
2009503285.tif 000033
2009503285.tif 000034
2009503285.tif 000035